(57)【要約】      （修正有）【課題】従来の合成樹脂製毛材に比べて高い塗布性能と優れた肌への感触を有し、化粧料塗布効果が優れるとともに、肌への触感にも優れた化粧ブラシ用毛材、およびこの化粧ブラシ用毛材を少なくとも一部に使用した化粧ブラシを提供する。【解決手段】セルロースエステル系樹脂モノフィラメントのブリッスルからなる筆用毛材1であって、前記セルロースエステル系樹脂のセルロースエステル置換度が２．５〜３．０であることを特徴とする化粧ブラシ用毛1。【選択図】図１
2011101733.tif 000002
【特許請求の範囲】
【請求項１】
セルロースエステル系樹脂モノフィラメントのブリッスルからなる化粧ブラシ用毛材であって、前記セルロースエステル系樹脂のセルロースエステル置換度が２．５〜３．０であることを特徴とする化粧ブラシ用毛材。
【請求項２】
前記セルロースエステル系樹脂モノフィラメントが異形断面モノフィラメントからなり、前記ブリッスルの繊維軸方向に伸びる波形状と、このブリッスルの少なくとも一端に尖鋭状テーパー部が形成されていることを特徴とする請求項１に記載の化粧ブラシ用毛材。
【請求項３】
前記波形状の波長が１５〜７０ｍｍであり、かつ波高が８ｍｍ以下であることを特徴とする請求項１または２記載の化粧ブラシ用毛材。
【請求項４】
前記異形断面モノフィラメントの繊維軸方向に垂直な断面形状が多葉形であることを特徴とする請求項１〜３のいずれか１項に記載の化粧ブラシ用毛材。
【請求項５】
請求項１〜５いずれか１項に記載の化粧ブラシ用毛材を少なくとも一部に使用したことを特徴とする化粧ブラシ。
【発明の詳細な説明】
【技術分野】
【０００１】
本発明は、化粧ブラシ用毛材および化粧ブラシに関するものであり、さらに詳しくは、従来の合成樹脂製毛材に比べて高い塗布性能と優れた肌への感触を有し、柔軟性にも優れた化粧ブラシ用毛材およびそれを用いた化粧ブラシに関するものである。
【背景技術】
【０００２】
従来より、化粧ブラシには獣毛および合成樹脂製毛材が多用されてきた。このうち、獣毛を使用した化粧ブラシは、塗料の保持性や離脱性が良いため、対象物に満遍なく塗布することができるばかりではなく、さらに毛腰が柔軟であるため、化粧ブラシとして使用する際の触感が良好であったが、近年の動物愛護の風潮により、これら獣毛の入手が困難となりつつある。
【０００３】
一方、合成樹脂製毛材は、容易に加工でき、獣毛に比べ工業的に大量生産できるという利点がある。しかしながら、一般的に使用されている丸断面の直線状毛材で、先端がテーパー状の合成樹脂製毛材は、獣毛に比べて表面が平滑であるため、塗料が付着しにくく、化粧ブラシとして使用した場合には、塗料の保持性が獣毛を使用したものに比べ劣るといった問題を抱えていた。
【０００４】
これらの問題を改善するための手段としては、毛材の繊維軸方向と垂直な断面形状が複数の凹凸を有する尖鋭化合成繊維（例えば、特許文献１参照）、波形状の尖鋭化合成繊維毛材（例えば、特許文献２参照）、および先端にテーパーを形成し、ストレートもしくは波形状を有した丸断面あるいは異形断面糸毛材（例えば、特許文献３参照）などが既に提案されている。
【０００５】
しかし、上記の毛材を使用した化粧ブラシは、毛腰が硬いために化粧用に使用した際の肌触りが悪く触感に欠け、毛さばきにおいてもブラシ先端部を肌に接触させると毛先が浮き、化粧料が肌に付着せずに飛散するなどといった問題があり、従来の獣毛を使用したブラシとは比べものにならないほど使用しにくいものであった。また、実際には塗料の保持性や離脱性も十分ではなく、毛材を異形断面や波形状、さらに毛先を先鋭状のテーパー状に加工しただけでは、化粧ブラシとして要求される特性を十分に満足するものではなかった。
【先行技術文献】
【特許文献】
【０００６】
【特許文献１】１５４５６４２号公報（第１頁）
【特許文献２】３４３４７００号公報（第１頁）
【特許文献３】実開平４−１２４６８３号公報（第１頁）
【発明の概要】
【発明が解決しようとする課題】
【０００７】
本発明の目的は、液体塗料の保持性と離脱性に優れ、且つ獣毛に匹敵する肌触りと柔軟性を兼ね備えた化粧ブラシ用毛材および化粧ブラシを提供することにある。
【課題を解決するための手段】
【０００８】
すなわち、本発明によれば、セルロースエステル系樹脂モノフィラメントのブリッスルからなる化粧ブラシ用毛材であって、前記セルロースエステル系樹脂のセルロースエステル置換度が２．５〜３．０であることを特徴とする化粧ブラシ用毛材が提供される。
【０００９】
なお、本発明の化粧ブラシ用毛材においては、
前記セルロースエステル系樹脂モノフィラメントが異形断面モノフィラメントからなり、前記ブリッスルの繊維軸方向に伸びる波形状と、このブリッスルの少なくとも一端に尖鋭状テーパー部が形成されていること、
前記波形状の波長が１５〜７０ｍｍであり、かつ波高が８ｍｍ以下であること、および
前記異形断面モノフィラメントの繊維軸方向に垂直な断面形状が多葉形であること
が、いずれも好ましい条件として挙げられ、これらの条件を満たした場合には、更に優れた性能を発揮する。
【００１０】
また、本発明の化粧ブラシは、前記化粧ブラシ用毛材を毛材の少なくとも一部に使用したことを特徴とし、高い塗布性能と優れた肌への感触を有し、高級獣毛を使用した筆具に匹敵する性能を有するものである。
【発明の効果】
【００１１】
本発明によれば、以下に説明するとおり、粉体塗料および液体塗料の保持性と離脱性に優れ、且つ獣毛に匹敵する肌触りと柔軟性を兼ね備えた化粧ブラシ用毛材および化粧ブラシを提供することができる。
【図面の簡単な説明】
【００１２】
【図１】本発明の化粧ブラシ用毛材の一例を示す拡大模式図である。
【発明を実施するための形態】
【００１３】
以下、本発明の化粧ブラシ用毛材について図１に従って説明する。
【００１４】
図１は本発明の化粧ブラシ用毛材の一例を示しており、１は化粧ブラシ用毛材、２は化粧ブラシ用毛材の繊維軸方向に垂直な断面、３は化粧ブラシ用毛材の一端に形成されたテーパー部、Ｌは波形状の波長、およびＨは波高を示している。
【００１５】
本発明の化粧ブラシ用毛材１が獣毛に匹敵する柔軟性、粉体塗布料および液体塗布料の保持性と離脱性を有した毛材であるためには、本発明の化粧ブラシ用毛材１を構成する合成樹脂がセルロースエステル系樹脂からなることが必要である。
【００１６】
本発明のセルロースエステルモノフィラメントは、アセチル置換度とプロピオニル置換度から構成されるセルロースエステル置換度が２．５〜３．０であるセルロースエステルを主体に構成されていることが必要である。セルロースエステル置換度が２．５以上３．０以下であるセルロースエステルであれば、モノフィラメントとしたときに十分な柔軟性、粉体塗布料および液体塗布料の保持性と離脱性を有する。
【００１７】
なお、本発明でいう置換度とは、セルロースのグルコース単位に存在する３つの水酸基へ化学的に結合した置換基の数である。セルロースエステル置換度は、より好ましくは２．６以上２．９以下であり、更に好ましくは２．６５以上２．８５以下である。セルロースエステル置換度が上記範囲にあれば、適度な柔軟性および吸放湿性を有するモノフィラメントが得られるため好ましい。
【００１８】
本発明のセルロースエステルモノフィラメントの柔軟性、粉体塗布料および液体塗布料の保持性と離脱性などの風合いの観点からは、本発明のセルロースエステルにおいて、少なくとも一部のアシル基炭素数を３〜１８とすることが、セルロースエステルを含むモノフィラメントの柔軟性が高く、粉体塗布料および液体塗布料の保持性と離脱性に優れた化粧ブラシ用毛材１を得ることができるため好ましい。また、セルロースエステルは屈折率が低く、透明性が極めて高いため、それを繊維にした場合には染色したときの発色性に優れるため好適に用いることができる。
【００１９】
少なくとも一部のアシル基炭素数が３〜１８であるセルロースエステルの具体例としては、セルロースアセテートプロピオネート、セルロースプロピオネート、セルロースアセテートブチレートおよびセルロースブチレートなどが挙げられるが、これらに限定されない。少なくとも一部のアシル基炭素数が３〜１８であるセルロースエステルとしては、セルロースにアシル基炭素数が２であるアセチル基とアシル基炭素数が３であるプロピオニル基が結合したセルロースアセテートプロピオネートからなる繊維、あるいはセルロースにアシル基炭素数が２であるアセチル基とアシル基炭素数が４であるブチリル基が結合したセルロースアセテートブチレートからなる繊維が、適度な柔軟性および吸放湿性を有するモノフィラメントが得られるため、本発明では特に好ましく用いられる。
【００２０】
本発明のセルロースエステルモノフィラメントを構成する、少なくとも一部のアシル基の炭素数が３〜１８であるセルロースエステルの重量平均分子量（Ｍｗ）は５万〜２５万であることが好ましい。重量平均分子量（Ｍｗ）とは、ＧＰＣ測定により算出した値をいう。重量平均分子量（Ｍｗ）が５万以上であれば、繊維強度が高く、十分な耐久性を有するモノフィラメントを得ることができるため好ましい。重量平均分子量（Ｍｗ）は、より好ましくは６万以上であれば、柔軟性が高く、優れた手触りのモノフィラメントを得ることができるため好ましい。重量平均分子量（Ｍｗ）は、より好ましくは２２万以下であり、更に好ましくは２０万以下である。
【００２１】
本発明のセルロースエステルモノフィラメントは、可塑剤を含有していても良く、可塑剤としては多価アルコール系化合物が好ましい。具体的には、セルロースエステルとの相溶性が良好であり、また溶融紡糸可能な熱可塑化効果が顕著に現れるポリアルキレングリコール、グリセリン系化合物、カプロラクトン系化合物などであり、なかでもポリアルキレングリコールが好ましい。ポリアルキレングリコールの具体的な例としては、重量平均分子量が２００〜４０００であるポリエチレングリコール、ポリプロピレングリコール、ポリブチレングリコールなどが挙げられるがこれらに限定されず、これらを単独もしくは併用して使用することができる。
【００２２】
また、本発明のセルロースエステルモノフィラメントは、モノフィラメントがセルロースエステルとしての特性を維持するという観点から、可塑剤の配合量は、セルロースエステル組成物に対して５重量％〜２５重量％であることが好ましい。可塑剤の配合量が５重量％以上であれば、セルロースエステル組成物が溶融紡糸可能な熱可塑化効果が得られるため好ましい。可塑剤の配合量は、８重量％以上であることがより好ましく、１０重量％以上であることが更に好ましい。一方、可塑剤の配合量が２５重量％以下であれば、モノフィラメントの繊維強度が高く、十分な耐久性を有するモノフィラメントを得ることができるため好ましい。可塑剤の配合量は２２重量％以下であることがより好ましく、２０重量％以下であることが更に好ましい。
【００２３】
本発明のセルロースエステルモノフィラメントは、リン系着色防止剤を含有していることが好ましい。リン系着色防止剤を含有している場合、熱分解によるセルロースエステル組成物の着色を防止する効果が非常に顕著であり、得られるモノフィラメントの色調が良好になるためである。
【００２４】
リン系着色防止剤の配合量は、セルロースエステル組成物に対して０．００５重量％〜０．５重量％であることが好ましい。リン系着色防止剤の配合量が０．００５重量％以上であれば、熱分解によるモノフィラメントの着色を防止することができるため好ましい。
【００２５】
リン系着色防止剤の配合量は、より好ましくは０．０１重量％以上であり、更に好ましくは０．０５重量％以上である。一方、リン系着色防止剤の配合量が０．５重量％以下であれば、繊維特性への影響がなく、風合いに優れたモノフィラメントが得られるため好ましい。リン系着色防止剤の配合量は、より好ましくは０．３重量％以下であり、更に好ましくは０．２重量％以下である。
【００２６】
本発明のセルロースエステルモノフィラメントは、そのまま化粧ブラシ用毛材１として用いることができるが、必要に応じて染色処理を行う。染料は分散染料を使用できるが、耐候堅牢度が５級以上のものが、使用中の化粧ブラシの変・退色が少ないことから好ましい。また、染料は公知の染色キャリヤー剤を併用しても良いが、染色キャリヤー剤を必要としない高圧染色であることが好ましい。また、染色前のセルロースエステルモノフィラメントにカーボンブラックや各種顔料などが添加されていてもよく、この場合には染色時の染料が節約できるばかりか、用途によっては染色を行う必要がないなどの点で好ましいといえる。
【００２７】
また、本発明の化粧ブラシ用毛材１には、使用中の変・退色を防止または毛材の耐久性を向上させる目的で、本発明の目的を阻害しない範囲で各種の添加剤、例えば、可塑剤、酸化防止剤、艶消し剤、消臭剤、消泡剤、整色剤、難燃剤、糸磨耗低減剤、紫外線吸収剤、赤外線吸収剤、結晶核剤、着色顔料、静電剤、抗菌剤などを単独もしくは併用して含有していても構わない。
【００２８】
本発明の化粧ブラシ用毛材１には、フィラメントの帯電によるまとわり付きや絡まり、あるいはホコリの付着を防止する目的で、帯電防止剤を表面付与したものでもよい。
【００２９】
本発明の化粧ブラシ用毛材１には、櫛通し性を更に向上させるため、シリコーン系などの公知の界面活性剤をフィラメント表面に付与しても良い。
【００３０】
また、本発明の化粧ブラシ用毛材１を使用した際に、液体塗布料および粉体塗布料の保持性に優れた毛材を得るためには、図１に示したように、化粧ブラシ用毛材１の繊維軸方向に垂直な断面２の形状が異形断面であることが必要であり、その断面２の形状としては、丸形以外の断面形状、例えば、三角形、四角形などの多角形、または、三葉形、五葉形などの多葉形などが挙げられる。しかし、化粧ブラシ用毛材１には塗布料の保持性とともに離脱性も要求される。そこで、両方のバランスに優れた化粧ブラシ用毛材１を得るためには、断面２の形状が多葉形であることが好ましい。
【００３１】
なお、本発明の化粧用ブラシ毛材の直径は、化粧用ブラシの種類や用途に応じて適宜変えることができ、特に限定するものではないが、一般には異形断面の外接円直径が０．０３０〜０．２５０ｍｍ、さらには０．０５０〜０．１５０ｍｍであることが好ましい。
【００３２】
次に、本発明の化粧ブラシ用毛材１が、獣毛に匹敵する肌触りを有した毛材であるために、化粧ブラシ用毛材１はブリッスルの繊維軸方向に波形状を有し、且つ化粧ブラシ用毛材１の少なくとも一端に先鋭状のテーパー部３を有していることが好ましい。なお、テーパー部３の長さは、化粧用ブラシの種類や用途に応じて適宜変えることができ、特に限定するものではない。
【００３３】
さらに、化粧ブラシ用毛材１が優れた肌触りと共に、粉体塗布料および液体塗布料の保持性と離脱性のバランスの良い毛材であるためには、波形状の波長Ｌが１５〜７０ｍｍ、且つ波高Ｈが８ｍｍ以下であることが好ましく、さらには、波長Ｌが２０〜５５ｍｍ、且つ波高Ｈが４ｍｍ以下であることが好ましい。この理由は、波長Ｌが１５〜７０ｍｍ、且つ波高Ｈが８ｍｍ以下の範囲から外れた場合には、肌触りの悪い筆用毛材となりやすくなるばかりか、粉体塗布料および液体塗布料の保持性と離脱性のバランスが崩れた化粧ブラシ用毛材１となりやすくなるからである。なお、上記の範囲内であれば、化粧ブラシの種類や用途に応じて適宜その波長Ｌや波高Ｈを変えることも可能である。
【００３４】
さらにまた、本発明の化粧ブラシ用毛材１を構成する一成分であるセルロースエステル系樹脂には、以下に説明するように、溶剤により溶解し、テーパー部３を容易に加工できることが要求される。
【００３５】
上記テーパー部を形成させるために使用する溶剤としては、例えば、酢酸エチル、アセトン、クロロホルムなどのケトンあるいはエステル系、ハロゲン化炭化水素系の溶剤が好適に利用できる。
【００３６】
次に、本発明の化粧ブラシ用毛材１の製造方法について説明する。
【００３７】
まず、本発明の化粧ブラシ用毛材１となるモノフィラメントは、セルロースエステル系樹脂チップに、必要に応じて各種添加剤を所定量混合した後、公知の溶融紡糸機に供給し、溶融押出し、冷却、および、必要に応じて延伸工程を経て製造することができる。
【００３８】
次に、得られたモノフィラメントに繊維軸方向に波形状が付与される。その付与方法としては、公知の方法、例えば、１対からなる所定形状のギヤの間にモノフィラメントを通過させて波形状を付与するなどの方法が挙げられる。
【００３９】
そして、波形状が付与されたモノフィラメントは、さらにテーパー部３を有する化粧ブラシ用毛材１に加工される。その加工方法としては、例えば、モノフィラメントを複数本束ねてテープ等で周囲を保護し、この束をブラシの種類や用途に応じた長さに切断してブリッスルとした後、切断端部の片方または両方を溶剤に浸漬させて尖鋭状に溶解する方法が挙げられる。そのほか、テーパー部３を形成させる方法としては、機械研磨による方法も挙げられる。
【００４０】
上記の製造方法により得られた化粧ブラシ用毛材１を使用した本発明の化粧用ブラシは、公知の方法にて製造することができ、製造方法については特に限定されない。
【００４１】
以上、説明したとおり、本発明の化粧ブラシ用毛材１は、適度な柔軟性および粉体塗布料および液体塗布料の保持性と離脱性を兼ね備えたものである。そして本発明の化粧ブラシ用毛材１を少なくとも一部に使用した化粧ブラシはこれらの特性を十分発揮し、その実用性は極めて高い。
【実施例】
【００４２】
以下、本発明を実施例に基づいて説明するが、本発明はその要旨を越えない限り、以下の実施例に何ら限定されるものではない。なお、本発明の化粧ブラシ用毛材の評価方法については、次の通り行った。すなわち、実施例に示す化粧ブラシ用毛材をブラシ用の駒に入れ、穂先を整えた上で金属製筒に筆用毛材を差し込み、金属製筒へ柄を取り付けることにより毛丈３５ｍｍ、束径２０ｍｍの筆を作製した。なお、化粧ブラシ用毛材の原糸直径は０．０７ｍｍのものを使用し、以下の方法で性能評価を行った。
【００４３】
〔セルロースエステルの平均置換度〕
８０℃で８時間乾燥したセルロースエステル０．９ｇを秤量し、アセトン３５ｍｌとジメチルスルホキシド１５ｍｌを加えて溶解した後、さらにアセトン５０ｍｌを加えた。攪拌しながら０．５Ｎ−水酸化ナトリウム水溶液３０ｍｌを加え、２時間ケン化した。熱水５０ｍｌを加え、フラスコ側面を洗浄した後、フェノールフタレインを指示薬として０．５Ｎ−硫酸で滴定した。別に試料と同じ方法で空試験を行った。滴定が終了した溶液の上澄み液を１００倍に希釈し、イオンクロマトグラフを用いて、有機酸の組成を測定した。測定結果とイオンクロマトグラフによる酸組成分析結果から、下記式により平均置換度を算出した。
ＴＡ＝（Ｂ−Ａ）×Ｆ／（１０００×Ｗ）
ＤＳａｃｅ＝（１６２．１４×ＴＡ）／[｛１−（Ｍｗａｃｅ−（１６．００＋１．０１））×ＴＡ｝＋｛１−（Ｍｗａｃｙ−（１６．００＋１．０１））×ＴＡ｝×（Ａｃｙ／Ａｃｅ）]
ＤＳａｃｙ＝ＤＳａｃｅ×（Ａｃｙ／Ａｃｅ）
ＴＡ：全有機酸量（ｍｌ）
Ａ：試料滴定量
Ｂ：空試験滴定量（ｍｌ）
Ｆ：硫酸の力価
Ｗ：試料重量（ｇ）
ＤＳａｃｅ：アセチル基の平均置換度
ＤＳａｃｙ：アシル基の平均置換度
Ｍｗａｃｅ：酢酸の分子量
Ｍｗａｃｙ：他の有機酸の分子量
Ａｃｙ／Ａｃｅ：酢酸（Ａｃｅ）と他の有機酸（Ａｃｙ）とのモル比
１６２．１４：セルロースの繰り返し単位の分子量
１６．００：酸素の原子量
１．０１：水素の原子量
【００４４】
〔化粧料塗布性能評価〕
作製した筆で成人女性２５人に対して粉体化粧料（資生堂：マキアージュ  ラスティングパウダーＵＶ  ベージュオークル１０  春夏用）を使用し、実際に化粧をしてもらい、その性能について回答を得た。なお、判定基準は以下の通りとした。
Ａ・・均一に塗布でき、獣毛に匹敵する性能であった、
Ｂ・・獣毛に比べやや劣るが実用上問題ない性能であった、
Ｃ・・化粧料の保持性、または離脱性に問題があった。
【００４５】
さらに液体化粧料（カネボウ：ＤＥＷスペリア  リクイドコンセントレート）を使用して、成人女性２５人対し、上記液体化粧料を使用して実際に化粧をしてもらい、その性能について回答を得た。なお、判定基準は以下の通りとした。
Ａ・・保持性、離脱性が共に良く、満遍なく塗布できる性能であった、
Ｂ・・多少の問題点があるが、実用上問題ない性能であった、
Ｃ・・保持性、または離脱性のいずれかが悪く、性能に問題があった。
【００４６】
〔肌への触感〕
上記の化粧料塗布性能評価と同時に、粉体化粧料、液体化粧料を使用した場合でのフェイスブラシの肌触りについても、回答を得た。なお、判定基準は以下のとおりとした。
Ａ・・柔軟であり獣毛に匹敵する肌触りであった、
Ｂ・・獣毛より劣るが良好な肌触りであった、
Ｃ・・特に良い肌触りではないが実用上問題はなかった、
Ｄ・・柔軟性および弾力性が不足し、肌への刺激が感じられ、肌触りがやや悪かった、
Ｅ・・柔軟性および弾力性が不足し、肌への刺激が顕著であり、肌触りが悪かった。
【００４７】
〔実施例１〕
セルロース（日本製紙（株）製溶解パルプ）１００重量部に、酢酸２４０重量部とプロピオン酸６７重量部を加え、５０℃で３０分間混合した。混合物を室温まで冷却した後、氷浴中で冷却した無水酢酸１７２重量部と無水プロピオン酸１６８重量部をエステル化剤として、硫酸４重量部をエステル化触媒として加えて、１５０分間攪拌を行い、エステル化反応を行った。エステル化反応において、４０℃を超える時は、水浴で冷却した。反応後、反応停止剤として酢酸１００重量部と水３３重量部の混合溶液を２０分間かけて添加して、過剰の無水物を加水分解した。その後、酢酸３３３重量部と水１００重量部を加えて、８０℃で１時間加熱攪拌した。反応終了後、炭酸ナトリウム６重量部を含む水溶液を加えて、析出したセルロースアセテートプロピオネートを濾別し、続いて水で洗浄した後、６０℃で４時間乾燥した。得られたセルロースアセテートプロピオネートのアセチル置換度は２．０、プロピオニル置換度は０．７（セルロースエステル置換度２．７）であり、重量平均分子量（Ｍｗ）は１７．８万であった。
【００４８】
得られたセルロースアセテートプロピオネート８２．０重量％、平均分子量６００のポリエチレングリコール（ＰＥＧ６００）１７．９重量％およびリン系着色防止剤としてビス（２，６−ジ−ｔ−ブチル−４−メチルフェニル）ペンタエリスリトールジホスファイト０．１重量％を二軸エクストルダーを用いて２３０℃で混練し、５ｍｍ程度にカッティングしてセルロースエステル組成物ペレット（Ｍｗ＝１６．６万）を得た。
【００４９】
上記方法にて製造されたセルロースエステル組成物ペレットを、８０℃、８時間真空乾燥し、紡糸温度２６０℃とした溶融紡糸パックへ導入して、八葉断面形状の口金ノズルより押出し、２０℃の水で満たした冷却浴中で冷却し、続いて８０℃の温水中で２．２倍に延伸した後、１６０℃の熱風雰囲気下で１．０倍にて熱セットを行った。このようにして外接円直径０．０８ｍｍの八葉断面合成樹脂モノフィラメントを得た。
【００５０】
次に、八葉断面合成樹脂モノフィラメントを複数本に束ね、その束の周囲に紙テープを巻いて必要な長さにカットしブリッスルとした後、切断端部をアセトン溶液中に浸漬させて八葉断面合成樹脂モノフィラメントの先端部に尖鋭状のテーパー部を形成した。
【００５１】
次いで、このモノフィラメントブリッスルを７０℃の温水浴中で４時間精練した後、高圧染色機にて、常法の染色方法を用いて茶褐色に染色し、次いで常法の洗浄方法を用い還元洗浄を行い、染め上がり化粧ブラシ用毛材を得た。
【００５２】
そして得られた化粧ブラシ用毛材を使用して化粧ブラシを作成し、特性を評価した。その結果を表１に示す。
【００５３】
〔実施例２〕
実施例１において、八葉断面モノフィラメントを加温しながら、１対のギヤの間に連続的に通過させ、八葉断面合成樹脂モノフィラメントの繊維軸方向に波形状を付与した。なお、使用するギヤの歯型やピッチおよび挟み圧は、最終製品での波長が２８ｍｍ、波高が２ｍｍとなるように選定したこと以外は、同様の方法で化粧ブラシを作製し、特性を評価した。その結果を表１に示す。
【００５４】
〔実施例３〕
実施例２において、最終製品での波長を７０ｍｍ、波高を８ｍｍに変更したこと以外は、同様の方法で化粧ブラシを作製し、特性を評価した。その結果を表１に示す。
【００５５】
〔実施例４〕
実施例２において、アセチル置換度が０．２、プロピオニル置換度が２．５（セルロースエステル置換度２．７）であるイーストマンケミカル社製セルロースアセテートプロピオネート（ＣＡＰ  ４８２−２０）９２重量％、平均分子量６００のポリエチレングリコール（ＰＥＧ６００）７．９重量％およびリン系着色防止剤としてビス（２，６−ジ−ｔ−ブチル−４−メチルフェニル）ペンタエリスリトールジホスファイト０．１重量％を二軸エクストルダーを用いて２３０℃で混練し、５ｍｍ程度にカッティングしてセルロースエステル組成物ペレット（Ｍｗ１６．１万）を得た。
【００５６】
上記製法により得られたセルロースエステル組成物ペレットを用い、紡糸温度を２４０℃、六葉断面形状の口金ノズルから押出したこと以外は、実施例２と同様にして化粧ブラシを作製し、特性を評価した。その結果を表１に示す。
【００５７】
〔比較例１〕
実施例１において、セルロースアセテートプロピオネートのアセチル置換度を２．０、プロピオニル置換度を２．０（セルロースエステル置換度４．０）に変更し、八葉断面形状の口金ノズルから押出したこと以外は、同様にして化粧ブラシを作製し、特性を評価した。その結果を表１に示す。
【００５８】
〔比較例２〕
ポリブチレンテレフタレートチップ（東レ（株）製１２００Ｓ）を、真空下１０５℃で９時間乾燥した。該チップを２８０℃で、押出型紡糸機へ供給し、加熱溶融された樹脂組成物を円形八葉断面形状の口金ノズルから押出し、直ちに３０℃の水中で冷却し、続いて５６０の温水、さらに１２０℃乾熱雰囲気下で４．１倍に延伸した後、乾熱雰囲気下で弛緩熱処理を行った。このようにして直径０．０８ｍｍのモノフィラメントを得た。次に、モノフィラメントを複数本に束ね、その束の周囲に紙テープを巻いて必要な長さにカットしてブリッスルにした後、切断端部を苛性ソーダ溶液中に浸漬させてモノフィラメントの先端部に尖鋭状のテーパー部を形成した。
【００５９】
次いで、このモノフィラメントを高圧染色機にて、常法の染色方法を用いて茶褐色に染色し、次いで常法の洗浄方法を用い還元洗浄を行い、染め上がり化粧ブラシ用毛材を得た。
【００６０】
そして得られた化粧ブラシ用毛材を使用して化粧ブラシを作成し、特性を評価した。その結果を表１に示す。
【００６１】
〔比較例３〕
比較例２において、ポリブチレンテレフタレートチップをポリエチレンテレフタレートチップ（東レ（株）製Ｔ７０１Ｔ）に変更し、また、円形断面形状の口金から押し出し、得られた八葉断面モノフィラメントを加温しながら、１対のギヤの間に連続的に通過させ、八葉断面合成樹脂モノフィラメントの繊維軸方向に波形状を付与した。なお、使用するギヤの歯型やピッチおよび挟み圧は、最終製品での波長が２８ｍｍ、波高が２ｍｍとなるように選定したこと以外は、同様の方法で化粧ブラシを作製し、特性を評価した。その結果を表１に示す。
【００６２】
【表１】
2011101733.tif 000003
【００６３】
表１の結果から明らかなように、粉体化粧料、液体化粧料においても実施例２〜４の化粧ブラシは、化粧料の過不足もなく、十分に保持されるとともに、塗布した際にはその殆どが離脱し、肌に満遍なく付着し、獣毛を使用した化粧ブラシと同等の塗布性能を示した。また、肌への触感についても獣毛に匹敵すると評価された。
【００６４】
実施例１については、波形状が無いために、肌への触感が実施例２〜４より劣るものの、化粧ブラシとして十分使用できる性能であった。
【００６５】
これらの実施例に対し、セルロースエステル置換度が本発明の条件を満たさない比較例１の筆は、化粧料の保持性や離脱性に影響するばかりでなく、塗布性能が劣り、また肌への触感についてもゴワゴワしており、不良であった。
【００６６】
また、ポリエステル系素材からなる比較例２および３の化粧ブラシについては、特に液体化粧料での塗布性能が実施例に比べて遥かに劣る結果で、肌への触感も獣毛にはほど遠い感触であった。
【産業上の利用可能性】
【００６７】
以上、説明したとおり、本発明の化粧ブラシ用毛材は、粉体化粧料および液体化粧料の保持性と離脱性に優れ、且つ獣毛に匹敵する肌触りを兼ね備えたものである。そして本発明の化粧ブラシ用毛材を少なくとも一部に使用した化粧ブラシはこれらの特性を十分発揮し、その実用性は極めて高い。
【符号の説明】
【００６８】
１    化粧ブラシ用毛材
２    化粧ブラシ用毛材の断面
３    テーパー部
Ｌ    波長
Ｈ    波高
【図１】
2011101733.tif 000004